(57)【要約】【課題】１２ｃｍディスクのような径大ディスクに対しては勿論、８ｃｍディスクのような径小ディスクに対しても優れたセンタリング作用を発揮するディスク搬送装置を提供する。光ディスクドライブに組み込まれるディスクのセンタリングのための機構を簡素化する。【解決手段】搬送ローラ１の外周に、軸線方向中央位置Ｃを挟んで対称に、螺旋方向に延びる突条１２，１３を設ける。搬送ローラ１の正転時に、突条１２，１３にディスクＤが押し付けられてディスクＤに軸線方向中央位置Ｃに向かう力Ｆ１，Ｆ２が作用するように構成する。搬送ローラ１の有効軸長を、直径の異なる径大ディスクと径小ディスクとの２種類のディスクのうちの径大ディスクの直径と同等かそれよりも長く形成する。【選択図】図２
2011118991.tif 000002
【特許請求の範囲】
【請求項１】
円板型のディスクが押し付けられた搬送ローラを正転させることによって上記ディスクをそのセット位置まで搬入するスロットイン方式のディスク搬送装置において、
軸線方向中央位置がディスク搬入方向で上記ディスクセット位置の中心に対向配置される上記搬送ローラの外周に、上記軸線方向中央位置を挟んで対称に、螺旋方向に延びる突条が備わり、
上記搬送ローラの正転時に、上記突条に上記ディスクが押し付けられてその突条とディスクとの接触箇所が搬送ローラの軸線方向中央位置に向けて移動するように構成されていることを特徴とするディスク搬送装置。
【請求項２】
円板型のディスクが押し付けられた搬送ローラを正転させることによって上記ディスクをそのセット位置まで搬入するスロットイン方式のディスク搬送装置において、
軸線方向中央位置がディスク搬入方向で上記ディスクセット位置の中心に対向配置される上記搬送ローラの外周に、上記軸線方向中央位置を挟んで対称に、螺旋方向に延びる突条が備わり、
上記搬送ローラの正転時に、上記突条がディスクとの重なり箇所でディスクにより押圧されて圧縮変形するのに対し、上記突条が、ディスクとの重なり箇所と非重なり箇所との境界領域に含まれる非重なり箇所で上記ディスクの外周端面に係合してそのディスクを当該搬送ローラの上記軸線方向中央位置に向けて押圧するように構成されていることを特徴とするディスク搬送装置。
【請求項３】
上記搬送ローラの有効軸長が、直径の異なる径大ディスクと径小ディスクとの２種類のディスクのうちの径大ディスクの直径と同等かそれよりも長く形成されている請求項１又は請求項２に記載したディスク搬送装置。
【請求項４】
上記搬送ローラが、円筒状の外周面を有するゴム質のローラ本体と、このローラ本体の外周面に一体成形されたゴム質の上記突条と、を備える請求項３に記載したディスク搬送装置。
【請求項５】
上記搬送ローラは、軸線方向に連続する１つの上記ローラ本体とそのローラ本体に設けられた上記突条とを備えている請求項４に記載したディスク搬送装置。
【請求項６】
上記搬送ローラが軸線方向で複数の短ローラに分割されていて、それらの短ローラが、当該搬送ローラの軸線方向中央位置を挟んで対称に、間隔を隔てて配備されている請求項４に記載したディスク搬送装置。
【請求項７】
上記搬送ローラの軸線に直交する直線に対する上記突条のねじれ角が８度以上に定められている請求項１ないし請求項６のいずれか１項に記載したディスク搬送装置。
【請求項８】
上記搬送ローラの軸線方向での上記突条のピッチが５〜１２ｍｍに定められている請求項７に記載したディスク搬送装置。
【発明の詳細な説明】
【技術分野】
【０００１】
本発明は、ディスク搬送装置、特に、搬送ローラの回転によってディスクに送り力が付与されるスロットイン方式のディスク搬送装置に関する。
【背景技術】
【０００２】
この種のディスク搬送装置は、コンパクトディスク（ＣＤ）やデジタルバーサタイルディスク（ＤＶＤ）、ブルーレイディスク（ＢＤ）といった円板型のディスクを取り扱う光ディスクドライブに採用されている。
【０００３】
図７はこの種のディスク搬送装置の基本的構成を側面から見て原理的に示した説明図である。同図のディスク搬送装置は、回転駆動力を受けて定位置で正転又は逆転する横長の搬送ローラ１と、この搬送ローラ１にディスクＤを弾性的に押し付けるための押圧部材２と、を備えている。押圧部材２には、ディスクＤとの接触面の摺動性が高められた押えフレームや、ディスクＤの移動に追従して回転する押えローラなどが採用される。なお、図７において、符号ａはディスク搬入方向、符号ｂはディスク搬出方向を示していて、搬送ローラ１の正転によってディスクＤがディスク搬入方向ａに搬送され、搬送ローラ１の逆転によってディスクＤがディスク搬出方向ｂに搬送される。
【０００４】
一方、先行例では、搬送ローラの外周面の直径を軸線方向中央位置から遠ざかるほど漸増させておくことによってディスクに求心作用（ディスクを適正な搬入経路に送り込むためのセンタリング作用、以下「センタリング」という）を付与することや、搬送ローラの外周面に凹み部分を具備させることにより、凹み部分に塵芥を集める機能を付与することが提案されている（たとえば、特許文献１、特許文献２参照）。
【０００５】
ところで、光ディスクドライブによって取り扱われる円板型のディスクは、所定の規格によって、直径が１２ｃｍの径大な１２ｃｍディスクと直径が８ｃｍの径小な８ｃｍディスクの２種類に分かれている。そして、ある種の光ディスクドライブでは、それら２種類のディスクの両方を使い分けることが可能でありながら、プレイモード時には、それら２種類のディスクに共通のターンテーブルに径大ディスク又は径小ディスクの一方を搭載して回転させる構成が採用されている。
【０００６】
また、スロットイン方式のディスク搬送装置を採用した光ディスクドライブでは、円板型のディスクが押し付けられた搬送ローラを正転させることによって上記ディスクに送り力を付与してセット位置まで搬入することが行われる。セット位置とは、搬送ローラの正転によって搬入されたディスクの中心が、ターンテーブルの回転軸線に一致する位置のことである。したがって、上記した２種類のディスクを取り扱う光ディスクドライブでは、径大な１２ｃｍディスクであっても径小な８ｃｍディスクであっても、搬送ローラの正転によって搬入されるディスクを上記したセット位置に正確に到達させる機能を有していることが要求される。そこで、スロットイン方式のディスク搬送装置を採用した光ディスクドライブでは、ディスク搬送装置自体によってディスクのセンタリングを行ったり、ディスク搬送装置とは別の機構によってディスクのセンタリングを行ったりすることが行われている。
【０００７】
この点に関し、光ディスクドライブでは、径大な１２ｃｍディスクの取扱い頻度が高いことから、そのような径大ディスク（１２ｃｍディスク）のセンタリングを行うことが先決事項であるとしてディスク搬送装置や光ディスクドライブが設計され、径小ディスク（８ｃｍディスク）のセンタリングのための設計は付加的事項として後回しになっていた。その結果、径大ディスクのセンタリングのための設計を行った後、径小ディスクのセンタリングのための構成を設計に反映させると、その構成が足かせになって構造が複雑になってしまうことが問題視されていた。
【先行技術文献】
【特許文献】
【０００８】
【特許文献１】特開２００８−１０３００９号公報（図５）
【特許文献２】特開２００７−１１５３３０号公報（図１、図５、図７）
【発明の概要】
【発明が解決しようとする課題】
【０００９】
上記によって判るように、２種類の径大ディスクと径小ディスクとを使い分けることのできる光ディスクドライブでは、従来、ディスクのセンタリングを行わせるための対策として、光ディスクドライブのディスク搬送装置にセンタリングのための構成を採用したり、ディスク搬送装置とは別のセンタリングのための機構を光ディスクドライブに併せて組み込んだりしていて、特に、径小ディスクのセンタリングのための複雑な機構を光ディスクドライブに組み込む必要があったために、光ディスクドライブの全体構成までもが複雑になるという問題があった。
【００１０】
本発明は、この問題に鑑みてなされたものであり、ディスク搬送装置の搬送ローラに工夫を講じることによって、１２ｃｍディスクのような径大ディスクに対しては勿論、８ｃｍディスクのような径小ディスクに対しても優れたセンタリング作用を発揮するディスク搬送装置を提供することを目的とする。
【００１１】
また、本発明は、径小ディスクに対して特に優れたセンタリング作用を発揮するディスク搬送装置を提供することによって、光ディスクドライブに組み込まれるディスクのセンタリングのための機構を簡素化することを目的とする。
【課題を解決するための手段】
【００１２】
本発明に係るディスク搬送装置は、円板型のディスクが押し付けられた搬送ローラを正転させることによって上記ディスクをそのセット位置まで搬入するスロットイン方式のディスク搬送装置において、軸線方向中央位置がディスク搬入方向で上記ディスクセット位置の中心に対向配置される上記搬送ローラの外周面に、上記軸線方向中央位置を挟んで対称に、螺旋方向に延びる突条が備わり、上記搬送ローラの正転時に、上記突条に上記ディスクが押し付けられてその突条とディスクとの接触箇所が搬送ローラの軸線方向中央位置に向けて移動するように構成されている。
【００１３】
この構成であれば、ディスクが押し付けられた搬送ローラが正転すると、その搬送ローラによってディスクに送り力が付与されてそのディスクが搬入される。そして、そのようなディスクの搬入動作中には、搬送ローラの突条とディスクとの接触箇所が搬送ローラの軸線方向中央位置に向けて移動するため、ディスクに上記軸線方向中央位置に向かう力が作用し、この作用によってディスクがセンタリングされる。
【００１４】
本発明に係る別のディスク搬送装置は、円板型のディスクが押し付けられた搬送ローラを正転させることによって上記ディスクをそのセット位置まで搬入するスロットイン方式のディスク搬送装置において、軸線方向中央位置がディスク搬入方向で上記ディスクセット位置の中心に対向配置される上記搬送ローラの外周面に、上記軸線方向中央位置を挟んで対称に、螺旋方向に延びる突条が備わっている。そして、上記搬送ローラの正転時に、上記突条がディスクとの重なり箇所でディスクにより押圧されて圧縮変形するのに対し、上記突条が、ディスクとの重なり箇所と非重なり箇所との境界領域に含まれる非重なり箇所で上記ディスクの外周端面に係合してそのディスクを当該搬送ローラの上記軸線方向中央位置に向けて押圧するように構成されている。ここで、突条についての「ディスクとの重なり箇所と非重なり箇所との境界領域」とは、ディスクとの重なり箇所と非重なり箇所との境界部分を含んでその境界部分の近傍の重なり箇所及び非重なり箇所を含む領域のことである。
【００１５】
この構成であれば、ディスクが押し付けられた搬送ローラが正転すると、その搬送ローラによってディスクに送り力が付与されてそのディスクが搬入される。そして、そのようなディスクの搬入動作中には、搬送ローラの突条とディスクとの接触箇所が搬送ローラの軸線方向中央位置に向けて移動することと併せて、搬送ローラに備わっている螺旋状の突条が、ディスクとの重なり箇所でディスクにより押圧されて圧縮変形する一方、ディスクとの非重なり箇所でディスクの外周端面に係合してそのディスクを当該搬送ローラの軸線方向中央位置に向けて押圧する。その結果、ディスクの搬入動作中に、ディスクの外周端面に係合している突条がディスクを強制的に搬送ローラの軸線方向中央位置に向けて押し込むようになり、そのことがセンタリングを確実に行わせることに役立つ。
【００１６】
ここで、ディスクが搬送ローラの軸線方向中央位置を跨いでその両側で突条に押し付けられている状況では、搬送ローラの軸線方向中央位置を挟む両側の２箇所でディスクの外周端面に突条が係合した状態になり、それら２箇所の係合箇所で突条がディスクを挟み付ける事態が生じる。そのため、ディスクのセンタリングが行われにくくなるとも考えられるけれども、ディスクの中心が搬送ローラの軸線方向中央位置の片側又は他側のいずれかに偏って位置しているときには、その中心の偏り側での突条とディスクとの接触面積が、非偏り側での突条とディスクとの接触面積よりも大きくなるため、その接触面積の差に見合う摩擦抵抗によってディスクの中心が搬送ローラの軸線方向中央位置に押し寄せられる。したがって、上記の状況下でも、ディスクが確実にセンタリングされるようになる。
【００１７】
本発明では、上記搬送ローラの有効軸長が、直径の異なる径大ディスクと径小ディスクとの２種類のディスクのうちの径大ディスクの直径と同等かそれよりも長く形成されていることが望ましい。この構成であると、径大ディスクと径小ディスクとの両方に対するセンタリング作用を発揮させることが可能になる。
【００１８】
本発明では、上記搬送ローラが、円筒状の外周面を有するゴム質のローラ本体と、このローラ本体の外周面に一体成形されたゴム質の上記突条と、を備えるという構成を採用することが可能である。この構成であると、ディスクと突条との摩擦抵抗が大きくしやすく、しかも、ディスクの外周端面に係合している突条が、搬送ローラの正転によって無理なく変形してディスクの重なり位置に移動する。
【００１９】
本発明において、上記搬送ローラは、軸線方向に連続する１つの上記ローラ本体とそのローラ本体に設けられた上記突条とを備えているものであっても、上記搬送ローラが軸線方向で複数の短ローラに分割されていて、それらの短ローラが、当該搬送ローラの軸線方向中央位置を挟んで対称に、間隔を隔てて配備されているものであってもよい。
【００２０】
本発明では、上記搬送ローラの軸線に直交する直線に対する上記突条のねじれ角が８度以上に定められていることが望ましい。また、上記搬送ローラの軸線方向での上記突条のピッチが５〜１２ｍｍに定められていることが望ましい。
【発明の効果】
【００２１】
以上のように、本発明に係るディスク搬送装置は、１２ｃｍディスクのような径大ディスクに対しては勿論、８ｃｍディスクのような径小ディスクに対しても、正転中の搬送ローラがディスクのセンタリング作用を顕著に発揮する。そのため、光ディスクドライブに複雑な構成の径小ディスクのセンタリングのための機構を組み込む必要が少なくなり、その結果として、光ディスクドライブに組み込まれるディスクのセンタリングのための機構、ひいては光ディスクドライブ自体の構成が簡素化されて、光ディスクドライブの組立作業性が向上し、部品コストや組立コストの低コスト化を図りやすくなる。
【図面の簡単な説明】
【００２２】
【図１】本発明の実施形態に係るディスク搬送装置の搬送ローラの概略斜視図である。
【図２】図１の搬送ローラの正面図である。
【図３】変形例による搬送ローラの正面図である。
【図４】搬送ローラの好ましい作用を示した説明図である。
【図５】突条のピッチなどを示した説明図である。
【図６】変形例による突条を備えた搬送ローラの正面図である。
【図７】ディスク搬送装置の基本的構成を側面から見て原理的に示した説明図である。
【発明を実施するための形態】
【００２３】
図１は本発明の実施形態に係るディスク搬送装置の搬送ローラの概略斜視図、図２は図１の搬送ローラの正面図である。
【００２４】
この実施形態のディスク搬送装置の基本的構成は、図７を参照して説明したものと同様である。すなわち、回転駆動力を受けて定位置で正転又は逆転する横長の搬送ローラ１と、この搬送ローラ１にディスクＤを弾性的に押し付けるための押圧部材２と、を備えている。押圧部材２には、ディスクＤとの接触面の摺動性が高められた押えフレームや、ディスクＤの移動に追従して回転する押えローラなどが採用される。そして、搬送ローラ１の正転によってディスクＤがディスク搬入方向ａに搬送され、搬送ローラ１の逆転によってディスクＤがディスク搬出方向ｂに搬送される。
【００２５】
この実施形態において、図１及び図２に示した搬送ローラ１は、軸線方向のどの位置でも直径が同一である円筒状の外周面を有するローラ本体１０と、このローラ本体１０の外周面に設けられた螺旋方向に延びる突条１２，１３とを備えている。ローラ本体１０と突条１２，１３とは、摺動抵抗が大きく、しかも、弾性を有するゴム質（ゴムや軟質樹脂）の材料で一体に成形されている。また、突条１２，１３は、搬送ローラ１の軸線方向中央位置（図２に符号Ｃで示してある）を挟んで対称に形成されていて、搬送ローラ１の正転時には、突条１２，１３とディスクＤとの接触箇所Ｐが上記軸線方向中央位置Ｃに向かう方向に移動するようになっている。
【００２６】
また、光ディスクドライブに組み込まれたディスク搬送装置にあっては、搬送ローラ１の軸線方向中央位置Ｃが、ディスク搬入方向でディスクのセット位置の中心に対向配置される。
【００２７】
図７を参照して説明した基本的構成を有するディスク搬送装置の搬送ローラ１が、図１又は図２を参照して説明した上記構成を有していると、図２に仮想線で示したディスクＤが搬送ローラ１に押し付けられてその搬送ローラ１が正転すると、その搬送ローラ１によってディスクＤに送り力が付与されてそのディスクＤが搬入される。そして、そのようなディスクＤの搬入動作中には、搬送ローラ１の突条１２，１３とディスクＤとの接触箇所Ｐが搬送ローラ１の軸線方向中央位置Ｃに向けて移動するので、突条１２，１３とディスクＤとの摩擦抵抗によってディスクＤに上記軸線方向中央位置Ｃに向かう力Ｆ１，Ｆ２が作用し、この作用によってディスクＤがセンタリングされる。したがって、光ディスクドライブに、当該ディスク搬送装置とは別のセンタリング機構を設ける必要性が必ずしもなくなる。
【００２８】
搬送ローラ１の有効軸長を、直径の異なる径大ディスクと径小ディスクとの２種類のディスクのうちの径大ディスクの直径と同等かそれよりも長く形成しておくと、上記したセンタリング作用が、径大ディスクに対しても径小ディスク対しても付与される。したがって、１２ｃｍディスクと８ｃｍディスクとの両方の使い分けが可能な光ディスクドライブに組み込んだ場合には、それらの両方のディスクに対して良好なセンタリング作用が付与されるようになり、特に８ｃｍディスクに対するセンタリングが不十分になって８ｃｍディスクが偏ったまま搬入されてしまって誤挿入されるという事態が未然に防止されるようになる。
【００２９】
図３は変形例による搬送ローラの正面図である。図１又は図２に示した搬送ローラ１は、軸線方向に連続する１つのローラ本体１０とそのローラ本体１０に設けられた突条１２，１３とを備えているけれども、この点は、たとえば図３に示した搬送ローラ１のように、搬送ローラ１を軸線方向で複数（図例では４つ）の短ローラ１４，１５，１６，１７に分割し、それらの短ローラ１４〜１７を、当該搬送ローラ１の軸線方向中央位置Ｃを挟んで対称に、間隔を隔てて配備したものであってもよい。図例の搬送ローラ１では、複数の短ローラ１４〜１７が回転軸１８によって連結されている。この搬送ローラ１によっても、図１又は図２を参照して説明した作用と同等の作用が奏されることは明らかである。
【００３０】
図１又は図２、さらには図３を参照して説明したそれぞれの搬送ローラ１において、ローラ本体１０や突条１２，１３を形成しているゴム質材料の柔軟性を適切に調節することによって、突条１２，１３に比較的弾性変形しやすい特性を与えておくと、図４を参照して次に説明する好ましい作用が得られる。図４は好ましい作用を示した説明図である。
【００３１】
すなわち、突条１２，１３に比較的弾性変形しやすい特性を与えておくと、図４の矢印Ｒで示した搬送ローラ１の正転時に、螺旋状の突条１２（突条１３は図示省略してある）がディスクＤとの重なり箇所でディスクＤにより押圧されて圧縮変形する（圧縮変形箇所を符号Ｍで示してある）のに対し、突条１２が、ディスクＤとの重なり箇所と非重なり箇所との境界領域に含まれる非重なり箇所でディスクＤの外周端面２０に図示のように係合するといった状況が生じる。図４にはディスクＤの外周端面２０に対する突条１２の係合箇所を符号１２ａで示してある。そのため、搬送ローラ１の正転時には、突条１２が螺旋方向に延びていることにより、ディスクＤの外周端面２０に対する突条１２の係合箇所１２ａがディスクＤを当該搬送ローラ１の上記軸線方向中央位置Ｃに向けて押圧することになる。そのため、ディスクＤの搬入動作中に、ディスクＤの外周端面２０に係合している突条１２ａがディスクを強制的に搬送ローラ１の軸線方向中央位置Ｃに向けて押し込むようになり、そのことがセンタリングを確実に行わせることに役立つ。
【００３２】
この作用は、搬送ローラ１に対称に備わっている突条１２，１３の両方が発揮する。そのため、ディスクＤが搬送ローラ１の軸線方向中央位置Ｃを跨いでその両側で突条１２，１３に押し付けられている状況では、搬送ローラ１の軸線方向中央位置Ｃを挟む両側の２箇所でディスクＤの外周端面２０に突条が係合した状態になり、それら２箇所の係合箇所で突条１２，１３がディスクＤを挟み付ける事態が生じる。そのため、ディスクＤのセンタリングが行われにくくなるとも考えられる。しかしながら、ディスクＤの中心が搬送ローラ１の軸線方向中央位置Ｃの片側又は他側のいずれかに偏って位置しているときには、その中心の偏り側での突条とディスクＤとの接触面積が、非偏り側での突条とディスクＤとの接触面積よりも大きくなるため、その接触面積の差に見合う摩擦抵抗によってディスクＤの中心が搬送ローラ１の軸線方向中央位置Ｃに押し寄せられる。したがって、上記の状況下でも、ディスクＤが確実にセンタリングされるようになる。
【００３３】
本発明に係るディスク搬送装置の搬送ローラ１において、搬送ローラ１の軸線に直交する直線に対する図２に示した突条１２，１３のねじれ角θは８度以上に定められていることが望ましい。これは、搬送ローラ１の基本的な設計を径大な１２ｃｍディスクに合わせた場合に、その１２ｃｍディスクと径小な８ｃｍディスクとの半径差が１２／２−８／２＝２（ｃｍ）となり、８ｃｍディスクのストロークが１２−２＝１０（ｃｍ）であるので、ストロークと最大ずれ量との関係で、突条１２，１３の傾斜角度がｔａｎ−１（２．０  ／１０．０）＝８．７５となることによる。
【００３４】
図５は突条１２，１３のピッチＡ、横幅Ｂ及びローラ本体１０の外周面からの突出幅Ｈ、突条１２，１３の断面形状などを示した説明図である。同図のように、突条１２，１３の断面形状は略半円形状であり、ピッチＡが５〜１２ｍｍに定められ、横幅Ｂが０．４〜２ｍｍ、突出幅Ｈが０．４〜１．２であることが望ましい。ピッチＡが５ｍｍよりも短いと、ピッチＡが密になりすぎるために、搬送ローラ１の正転時にディスクＤに図２に示した軸線方向中央位置Ｃに向かう力Ｆ１，Ｆ２が作用しにくくなる。また、ピッチＡが１２ｍｍよりも長いと、ピッチＡが粗になりすぎ、突条１２，１３のねじれ角度が大きすぎてディスクＤとスリップしやすくなって、図２に示した軸線方向中央位置Ｃに向かう力Ｆ１，Ｆ２が作用しにくくなる。これらの不都合は、ピッチＡを５〜１２ｍｍに定めることによって生じなくなる。そして、ピッチＡが５〜１２ｍｍに定めた上で、横幅Ｂや突出幅Ｈを上記範囲の値に定めておくと、良好なセンタリング作用が発揮された。
【００３５】
上記した実施形態では、突条１２，１３をリブ状に形成した事例を説明したれども、突条１２，１３の形状はこれに限定されない。たとえば、突条１２，１３の横幅を広くすることによって、それらの突条１２，１３がディスクに面接触するように構成することも可能である。図６はそのような突条１２，１３を備えた搬送ローラ１の正面図である。同図のように、この搬送ローラ１では、外周面に螺旋状の溝条１１を形成することによって、螺旋方向に延びる横幅の広い突条１２，１３を形成してある。
【００３６】
なお、説明の便宜上、図１〜図７では、同一又は相応する要素に同一符号を付してある。
【符号の説明】
【００３７】
１  搬送ローラ
１２，１３  突条
１２ａ  ディスクの外周端面に対する突条の係合箇所
１０  ローラ本体
１４〜１７  短ローラ
θ  突条のねじれ角
Ａ  突条のピッチ
Ｃ  搬送ローラの軸線方向中央位置
Ｄ  ディスク
Ｆ１，Ｆ２  軸線方向中央位置に向かう力
【図１】
2011118991.tif 000003
【図２】
2011118991.tif 000004
【図３】
2011118991.tif 000005
【図４】
2011118991.tif 000006
【図５】
2011118991.tif 000007
【図６】
2011118991.tif 000008
【図７】
2011118991.tif 000009